(57)【要約】【課題】下水汚泥を脱水処理した脱水汚泥を乾燥して焼却処分すると共に、熱量を調整した乾燥汚泥を作製して、バイオマスボイラ等のバイオマス燃料として好適に利用できる下水汚泥乾燥システムを提供する。【解決手段】本発明に係る下水汚泥乾燥システム１は、脱水汚泥を乾燥させた乾燥汚泥が燃料として供給され燃焼するバイオマスバーナ３と、バイオマスバーナ３の火炎によって熱風を生成する熱風炉５と、熱風炉５の熱風を用いて前記脱水汚泥を乾燥する乾燥機７と、乾燥機７によって乾燥された乾燥汚泥を該乾燥汚泥の含水率に基づいて前記バイオマスバーナ３に供給する燃焼用乾燥汚泥とバイオマス燃料として利用する燃料用乾燥汚泥に振り分ける振分け装置９とを備えたことを特徴とするものである。【選択図】  図１
2020199449.tif 000002
【特許請求の範囲】
【請求項１】
脱水汚泥を乾燥させた乾燥汚泥が燃料として供給され燃焼するバイオマスバーナと、該バイオマスバーナの火炎によって熱風を生成する熱風炉と、該熱風炉の熱風を用いて前記脱水汚泥を乾燥する乾燥機と、該乾燥機によって乾燥された乾燥汚泥を該乾燥汚泥の含水率に基づいて前記バイオマスバーナに供給する燃焼用乾燥汚泥とバイオマス燃料として利用する燃料用乾燥汚泥に振り分ける振分け装置とを備えたことを特徴とする下水汚泥乾燥システム。
【請求項２】
前記振分け装置によって振り分けられた燃焼用乾燥汚泥を前記バイオマスバーナに供給する燃焼用乾燥汚泥供給装置と、前記振分け装置によって振り分けられた燃料用乾燥汚泥を貯留槽に供給して貯留する燃料用乾燥汚泥貯留装置とをさらに備えたことを特徴とする請求項１記載の下水汚泥乾燥システム。
【請求項３】
前記振分け装置は、前記乾燥機によって乾燥された乾燥汚泥の含水率を検出する水分センサと、含水率が検出された乾燥汚泥を燃焼用乾燥汚泥供給装置側と燃料用乾燥汚泥貯留装置側に振り分ける振分け機構と、前記水分センサの検出値を入力して該入力情報に基づいて前記振分け機構の振分け動作を制御する制御装置とを備え、
該制御装置は、前記水分センサからの入力情報に基づいて前記燃焼用乾燥汚泥供給装置を制御して前記バイオマスバーナへの燃焼用乾燥汚泥の供給量を調整すると共に前記バイオマスバーナの燃焼用空気量の調整を行う機能を有していることを特徴とする請求項２記載の下水汚泥乾燥システム。
【発明の詳細な説明】
【技術分野】
【０００１】
下水汚泥を脱水処理した脱水汚泥を乾燥して焼却処分すると共にバイオマス燃料となる燃料用乾燥汚泥を作製する下水汚泥乾燥システムに関する。
【背景技術】
【０００２】
バイオマスである下水汚泥は、脱水汚泥にして焼却処分されるが、脱水汚泥は含水率が７０〜８０％と高く、このままでは燃料として使用することができない。そのため、下水汚泥を燃料として利用するためには、下水汚泥を乾燥させて含水率を１０％程度まで下げる必要がある。
【０００３】
このような脱水汚泥を乾燥する装置に関し、例えば特許文献１に開示された有機汚泥の処理装置がある。
特許文献１に開示の有機汚泥の処理装置は、「有機汚泥を連続して自己燃焼可能な４０〜１０％の含水率の乾燥汚泥にする乾燥機と、該乾燥汚泥を連続して焼却する燃焼装置と、該焼却熱で蒸気を得る熱交換器とを備え、該蒸気を乾燥機の熱源とする有機汚泥の処理装置であって、該乾燥機は蒸気によって加熱された２個の回転する加熱ドラム面に有機汚泥を貼着させて乾燥汚泥とするものであり、該燃焼装置は、縦型円筒状の外壁を有する炉体の上部に該外壁と同芯の円筒状の中壁を設け、該中壁の下方に該乾燥汚泥を順次直上へ移送させるスクリューコンベアを備え、該中壁の外周に、上方から螺旋状に旋回する燃焼空気を送り込んで、該スクリューコンベアの上端部の乾燥汚泥を燃焼させ、炉体の直上に設けた熱交換器へ燃焼ガスを該中壁の中央部を上昇させて導入するようにしたことを特徴とする。」（請求項１参照）ものである。
【０００４】
特許文献１に開示の技術は、脱水汚泥等の有機汚泥を焼却処分する際の焼却費用を低減するために、脱水汚泥を燃焼可能な含水率まで乾燥機で乾燥し、該乾燥機の熱源を得る燃焼装置の燃料として乾燥汚泥を利用するというものである。
【先行技術文献】
【特許文献】
【０００５】
【特許文献１】ＷＯ２０１０／１５０５２３
【発明の概要】
【発明が解決しようとする課題】
【０００６】
ところで、近年、木くずや紙くず、廃プラスチック固形燃料（ＲＰＦ）、廃タイヤなど各種廃棄物を燃料にする「バイオマスボイラ」が注目されている。バイオマスボイラは、重油等の従来の燃料からバイオマス燃料にエネルギー転換することで、化石エネルギー起源の二酸化炭素（ＣＯ２）排出量を削減できる。
そして、木材チップなどのバイオマスは、現状では輸入に頼っているのが現状であり、燃料の安定供給という面で課題がある。
【０００７】
この点、乾燥汚泥は安定供給が可能であるため、乾燥汚泥をバイオマス燃料として利用することができれば、安定的なバイオマス燃料として有用である。
しかし、現状の乾燥汚泥は、特許文献１に開示されているように、下水汚泥等の焼却処分のための一形態であり、乾燥汚泥を他の燃焼装置の燃料に利用することまでは言及されていない。
【０００８】
乾燥汚泥をバイオマス燃料として利用するためには、燃料として要求される発熱量となるように調整する必要があり、かかる技術の開発が望まれている。
特に、乾燥汚泥をバイオマスボイラの燃料とする場合、バイオマスボイラは、例えば売電量の年間計画に基づき、燃料投入量（投入カロリ）や操業時間などを決定している。そのため、バイオマスボイラへ供給される乾燥汚泥は、所定のカロリーに均一化されたもの（含水率が一定）であることが望ましい。
【０００９】
本発明はかかる課題を解決するためになされたものであり、下水汚泥を脱水処理した脱水汚泥を乾燥して焼却処分すると共に、発熱量を調整した乾燥汚泥を作製してバイオマスボイラ等のバイオマス燃料として好適に利用できるようにした下水汚泥乾燥システムを提供することを目的としている。
【課題を解決するための手段】
【００１０】
（１）本発明に係る下水汚泥乾燥システムは、脱水汚泥を乾燥させた乾燥汚泥が燃料として供給され燃焼するバイオマスバーナと、該バイオマスバーナの火炎によって熱風を生成する熱風炉と、該熱風炉の熱風を用いて前記脱水汚泥を乾燥する乾燥機と、該乾燥機によって乾燥された乾燥汚泥を該乾燥汚泥の含水率に基づいて前記バイオマスバーナに供給する燃焼用乾燥汚泥とバイオマス燃料として利用する燃料用乾燥汚泥に振り分ける振分け装置とを備えたことを特徴とするものである。
【００１１】
（２）また、上記（１）に記載のものにおいて、前記振分け装置によって振り分けられた燃焼用乾燥汚泥を前記バイオマスバーナに供給する燃焼用乾燥汚泥供給装置と、前記振分け装置によって振り分けられた燃料用乾燥汚泥を貯留槽に供給して貯留する燃料用乾燥汚泥貯留装置とをさらに備えたことを特徴とするものである。
【００１２】
（３）また、上記（２）に記載のものにおいて、前記振分け装置は、前記乾燥機によって乾燥された乾燥汚泥の含水率を検出する水分センサと、含水率が検出された乾燥汚泥を燃焼用乾燥汚泥供給装置側と燃料用乾燥汚泥貯留装置側に振り分ける振分け機構と、前記水分センサの検出値を入力して該入力情報に基づいて前記振分け機構の振分け動作を制御する制御装置とを備え、
該制御装置は、前記水分センサからの入力情報に基づいて前記燃焼用乾燥汚泥供給装置を制御して前記バイオマスバーナへの燃焼用乾燥汚泥の供給量を調整すると共に前記バイオマスバーナの燃焼用空気量の調整を行う機能を有していることを特徴とするものである。
【発明の効果】
【００１３】
本発明に係る下水汚泥乾燥システムによれば、脱水汚泥を乾燥させた乾燥汚泥が燃料として供給され燃焼するバイオマスバーナと、該バイオマスバーナの火炎によって熱風を生成する熱風炉と、該熱風炉の熱風を用いて前記脱水汚泥を乾燥する乾燥機と、該乾燥機によって乾燥された乾燥汚泥を該乾燥汚泥の含水率に基づいて前記バイオマスバーナに供給する燃焼用乾燥汚泥とバイオマス燃料として利用する燃料用乾燥汚泥に振り分ける振分け装置とを備えたことにより、脱水汚泥を乾燥して焼却処分すると共に、発熱量を調整した乾燥汚泥を作製してバイオマスボイラ等のバイオマス燃料として好適に利用できる。
【図面の簡単な説明】
【００１４】
【図１】本発明の実施の形態に係る下水汚泥乾燥システムの説明図である。
【図２】図１に示した下水汚泥乾燥システムにおける一部の構成を詳細に説明する図である。
【図３】図１に示した下水汚泥乾燥システムにおける一部の構成の他の態様を詳細に説明する図である。
【図４】本発明の実施の形態に係る下水汚泥乾燥システムによって作製される燃料用乾燥汚泥をバイオマスボイラの燃料として利用するシステムの説明図である。
【発明を実施するための形態】
【００１５】
本実施の形態に係る下水汚泥乾燥システム１は、図１、図２に示すように、脱水汚泥を乾燥させた乾燥汚泥が燃料として供給され燃焼するバイオマスバーナ３と、バイオマスバーナ３の火炎によって熱風を生成する熱風炉５と、熱風炉５の熱風を用いて前記脱水汚泥を乾燥する乾燥機７と、乾燥機７によって乾燥された乾燥汚泥を該乾燥汚泥の含水率に基づいて燃焼用乾燥汚泥と燃料用乾燥汚泥に振り分ける振分け装置９と、燃焼用乾燥汚泥をバイオマスバーナ３に供給する燃焼用乾燥汚泥供給装置１１と、燃料用乾燥汚泥を第２貯留槽４１に供給して貯留する燃料用乾燥汚泥貯留装置１３とを備えている。
以下、各構成を詳細に説明する。
【００１６】
＜バイオマスバーナ＞
バイオマスバーナ３は脱水汚泥を乾燥させた乾燥汚泥が燃料として供給され燃焼するものである。バイオマスバーナ３の火炎によって熱風炉５で熱風が生成される。
バイオマスバーナ３は乾燥汚泥のみの燃焼によって脱水汚泥の乾燥に必要な熱量が得られない場合には、他の燃料を用いることもできる。
バイオマスバーナ３には、燃焼用空気を予熱するための熱交換器１５が接続されており、ブロワ１７から吸入された空気が、例えばバイオマスボイラの排ガスと熱交換され、予熱空気として供給される。
【００１７】
＜熱風炉＞
熱風炉５はバイオマスバーナ３の火炎によって乾燥機７に供給する熱風を生成する装置である。熱風炉５には、図１に示すように、乾燥機７の排ガスの供給を受ける排ガス供給ライン１９が接続されている。
【００１８】
＜乾燥機＞
乾燥機７は、熱風炉５から熱風の供給を受けて、脱水汚泥を乾燥して乾燥汚泥にするための装置である。乾燥機７の排ガスは、排ガス供給ライン１９に設けられた集塵機２１によって塵埃が除去された後、ファン２３によって熱風炉５に供給される。
乾燥機７は、例えば、円筒形ドラム内部の軸方向に破砕撹拌翼を設け、これを回転させて脱水汚泥を解砕分散しながら、熱風を効率よく接触させ、脱水汚泥を短時間で均質な粒状の乾燥汚泥にする。
【００１９】
＜振分け装置＞
振分け装置９は、乾燥機７によって乾燥された乾燥汚泥の含水率に基づいて燃焼用乾燥汚泥と燃料用乾燥汚泥に振り分ける装置である。
振分け装置９の具体的な構成としては、図２に示すように、乾燥機７から排出される粉粒体の乾燥汚泥を貯留する第１貯留槽２５と、第１貯留槽２５の下部に設けられて乾燥汚泥を例えばバイオマスボイラ側へ搬送するベルトコンベア等の第１搬送装置２７と、第１搬送装置２７による搬送ラインに設けられて乾燥汚泥を燃焼用乾燥汚泥供給装置１１側と燃料用乾燥汚泥貯留装置１３側とに振り分ける振分け機構３１と、第１搬送装置２７による搬送ラインを搬送される乾燥汚泥の含水率を検出する水分センサ２９と、水分センサ２９の検出値を入力して、該検出値に基づいて振分け機構３１を制御する制御装置３２とを備えている。
【００２０】
水分センサ２９としては、例えばマイクロ波を照射し、汚泥透過前後におけるマイクロ波の減衰や位相変化（速度）から含水率を測定する透過型マイクロ波強度方式や、赤外線を照射し、汚泥透過前後における赤外線吸収率から含水率を測定する赤外線強度方式を用いた装置が適用できる。その他、接触型静電容量方式、透過型静電容量方式等も適用できる。
【００２１】
＜燃焼用乾燥汚泥供給装置＞
燃焼用乾燥汚泥供給装置１１は、第１貯留槽２５に設けられたホッパ部３３の下端に設けられて、所定量の乾燥汚泥を燃焼用乾燥汚泥として切り出すロータリーバルブ３５と、ロータリーバルブ３５によって切り出された燃焼用乾燥汚泥をバイオマスバーナ３に搬送する、例えばベルトコンベア等の第２搬送装置３７を備えている。
燃焼用乾燥汚泥の供給量は、ロータリーバルブ３５の回転数を、制御装置３２で制御することで調整できる。
燃焼用乾燥汚泥のバイオマスバーナ３への供給量が変わると、バイオマスバーナ３に供給する燃焼用空気量を調整する必要があるが、これについても、制御装置３２によって、バイオマスバーナ３に燃焼用空気を供給するブロワ１７の回転数あるいはブロワ１７の出口のダンパ開度を制御するようにすればよい。
【００２２】
なお、バイオマスバーナ３に供給される燃焼用乾燥汚泥の含水率が変化すると、バイオマスバーナ３で生成される熱量が変化する。したがって、燃焼用乾燥汚泥の含水率が変化した場合に、バイオマスバーナ３で生成される熱量を一定にするためには、燃焼用乾燥汚泥の含水率に基づいて、バイオマスバーナ３に供給する燃焼用乾燥汚泥の量と、燃焼用空気の供給量を調整する必要がある。
この場合には、図１に示すように、制御装置３２によって、水分センサ２９の検知情報に基づいてロータリーバルブ３５の回転数を制御して乾燥汚泥の切り出し量を調整すると共に、水分センサ２９の検知情報に基づいてバイオマスバーナ３に燃焼用空気を供給するブロワ１７の回転数あるいはブロワ１７の出口のダンパ開度を制御するようにすればよい。
【００２３】
また、バイオマスバーナ３の燃料を燃焼用乾燥汚泥のみで賄い、かつ乾燥汚泥の含水率を一定水準に保持するためには、燃焼用乾燥汚泥の含水率が変化した場合であっても、バイオマスバーナ３で生成される熱量を一定にする必要がある。この場合、上述のように、制御装置３２によって燃焼用乾燥汚泥の含水率に基づいてバイオマスバーナ３への燃焼用乾燥汚泥の供給量と燃焼用空気量を調整すればよい。
【００２４】
＜燃料用乾燥汚泥貯留装置＞
燃料用乾燥汚泥貯留装置１３は、振分け装置９によって振り分けられた燃料用乾燥汚泥を搬送する、例えばベルトコンベア等の第３搬送装置３９と、第３搬送装置３９で搬送された燃料用乾燥汚泥を貯留する第２貯留槽４１とを備えている。
【００２５】
上記のように構成された本実施の形態の下水汚泥乾燥システム１の動作を説明する。
バイオマスバーナ３には、燃焼用空気として予熱空気と、燃料としての乾燥汚泥が供給され燃焼され、熱風炉５により熱風が生成される。
乾燥機７には、乾燥対象となる脱水汚泥が供給され、熱風炉５からの熱風によって乾燥される。乾燥機７から排出される排ガスは、集塵機２１で塵埃が除去された後、ファン２３によって熱風炉５に供給される。
【００２６】
乾燥機７で乾燥された乾燥汚泥は、粉粒体となって第１貯留槽２５に供給される。第１貯留槽２５に貯留された乾燥汚泥の一部は、ロータリーバルブ３５から定量が切り出されてバイオマスバーナ３へ燃焼用乾燥汚泥として供給される。
また、第１貯留槽２５に貯留された乾燥汚泥の一部は、第１搬送装置２７によってバイオマスボイラ等で使用するための燃料用乾燥汚泥として搬出される。第１搬送装置２７による搬送ラインにおいては、水分センサ２９によって乾燥汚泥の含水率が検知される。含水率が検知された乾燥汚泥は、含水率が予め設定された含水率以下であれば、振分け機構３１によって、燃料用乾燥汚泥として、第３搬送装置３９側に振り分けられる。第３搬送装置３９側に振り分けられた燃料用乾燥汚泥は、第３搬送装置３９によって搬送されて第２貯留槽４１に貯留される。
また、含水率が予め設定された含水率を超えていた場合には、振分け機構３１によって、燃焼用乾燥汚泥として、第２搬送装置３７側に振り分けられ、バイオマスバーナ３へと供給される。
【００２７】
以上のように、本実施の形態によれば、乾燥機７で乾燥された乾燥汚泥を、含水率に基づいて振り分けることができ、含水率が所定の値以下の燃料用乾燥汚泥として例えばバイオマスボイラ等の燃料とし、含水率が所定の値を超えるものは燃焼用乾燥汚泥としてバイオマスバーナ３で燃焼させることができる。
これによって、脱水汚泥の焼却処理と含水率が所定の値以下に調整されたバイオマス燃料の作製の両方を実現することができる。
【００２８】
なお、上記の振分け装置９は、乾燥機７から排出される乾燥汚泥の全てを一旦第１貯留槽２５に貯留して、その後、燃焼用乾燥汚泥と燃料用乾燥汚泥に振り分けるようにしたが、本発明の振分け装置９はこれに限られるものではなく、乾燥機７から排出される乾燥汚泥を貯留する前に振り分けるようにしてもよい。
このような態様の一例を、図３に基づいて説明する。なお、図３において、図２と同一部分又は対応する部分には同一の符号を付してある。
【００２９】
この態様の振分け装置９は、乾燥機７から排出された乾燥汚泥の含水率を検知する水分センサ２９と、水分センサ２９の検知結果によって乾燥汚泥の振分けを行う振分け機構としての振分けノズル４３と、振分けノズル４３によって含水率が所定値を超えているとして振り分けられた乾燥汚泥を第１貯留槽２５に搬送するベルトコンベア等の第４搬送装置４５と、振分けノズル４３によって含水率が所定値以下であるとして振り分けられた乾燥汚泥を第２貯留槽４１に搬送するベルトコンベア等の第３搬送装置３９を備えている。なお、第２貯留槽４１に貯留された燃料用乾燥汚泥は、ベルトコンベア等の第５搬送装置４７でバイオマスボイラへ搬送される。また、振分けノズル４３の制御は、振分け機構３１と同様に制御装置３２によって行うようにすればよい。
【００３０】
この態様であれば、含水率が所定値以下の場合には全て燃料用乾燥汚泥として第２貯留槽４１に貯留されるので、燃料用乾燥汚泥の振分けを多くすることができる。なお、バイオマスバーナ３で燃焼する燃料が不足する場合には、第２貯留槽４１に貯留されている燃料用乾燥汚泥をバイオマスバーナ３で使用するようにしてもよい。
【００３１】
上記のように構成された本実施の形態の下水汚泥乾燥システム１を、バイオマスボイラの燃料作製に適用した例を図４に示す。図４において、図１〜図３と同一部分には同一の符号を付してある。
図４において、５１はバイオマスボイラ（定格出力20MW）、５３はバイオマスボイラ５１の排気経路に設けられて未燃カーボンを捕捉してバイオマスボイラ５１に戻すサイクロン、５５はサイクロン５３の下流側に設けられて蒸気を生成する熱交換器、５７は熱交換器５５で生成された蒸気によって駆動する蒸気タービン、５９は蒸気タービン５７に接続された発電機、６１は熱交換器５５の下流側に設けられて塵埃を分離するバグフィルタ、６３はバグフィルタ６１の下流側に設けられた誘引通風機、６５は誘引通風機６３によって誘引された排ガスを大気へ放出する煙突である。
【００３２】
図４に示す例では、誘引通風機６３の下流側の排ガスを本実施の形態の下水汚泥乾燥システム１の熱交換器１５に導入し、バイオマスバーナ３へ供給する燃焼空気を予熱するとともに、一部を分岐して乾燥機７に導入し、乾燥用ガスとして使用するようにしている。これらの排ガスは使用後、バイオマスボイラ５１の排ガスライン６７に戻される。
【００３３】
乾燥機７で乾燥され、振分け装置９によって燃料用乾燥汚泥として振り分けられた乾燥汚泥は、木質チップおよびPKS（パームヤシ殻）と混合され、バイオマスボイラ５１に投入され、振分け装置９によって燃焼用乾燥汚泥として振り分けられた乾燥汚泥は、バイオマスバーナ３に供給される。
なお、一般的に使用される木質バイオマス燃料では、含水率40%以下としているケースが多いので、これに倣い、混焼させる燃料用乾燥汚泥も含水率40%以下（低位発熱量は約2,500kcal/kg以上）とすればよい。
【実施例】
【００３４】
上述したように、バイオマスバーナ３で燃焼する燃料を乾燥汚泥のみとすることもでき、このような場合についての、下水汚泥乾燥システム１による試算例を以下に示す。
【００３５】
この例では、脱水汚泥1,717kg/h（含水率80%，発熱量429kcal/kg）を乾燥機７に投入し、6〜7時間の乾燥を経て、乾燥汚泥382kg/h（含水率10%，発熱量4,026kcal/kg）が作製される。作製された乾燥汚泥のうち、バイオマスバーナ３（定格出力1,000kW）で使用される燃焼用乾燥汚泥の量は300kg/hであり、バイオマスボイラ５１へ供される燃料用乾燥汚泥の量は82kg/hとなる。なお、燃料用乾燥汚泥は、貯留することで、バイオマスボイラ５１への供給量を増やすことができる。
【００３６】
上記の計算例は、乾燥機７から排出される乾燥汚泥の含水率が一定の場合であるが、実機においては種々の要因で乾燥汚泥の含水率が変化することが考えられる。一方、バイオマスボイラ５１に供給される燃料用乾燥汚泥の含水率は予め決められた一定値にしたいという要請がある。
そこで、作製された乾燥汚泥の含水率が変動した場合において、乾燥汚泥以外の補助燃料を用いることなく、その後、作成される乾燥汚泥の含水率を一定にする場合について説明する。
【００３７】
図１に示した下水汚泥乾燥システム１において、上記計算例の場合、乾燥汚泥の含水率を１０％にするには、バイオマスバーナ３において1,393kW（=1,197,980kcal/h）の熱量を生成する必要があり、この熱量を維持することができれば、乾燥汚泥の含水率を一定にすることができる。
また、作製される乾燥汚泥の含水率のみが変わり、灰分、揮発分、固定炭素および各元素（C，H，N，O，S，Cl）の重量割合が変わらないと仮定すると、乾燥汚泥の低位発熱量LHVおよび理論空気量A0（完全燃焼させるのに必要な空気量）は、下記の表1のとおり決定できる。
【００３８】
【表１】
2020199449.tif 000003
【００３９】
LHV=(32,800*C+120,000*(H-O/8)+9,300*S-2,500*W)/(100*4.18)[kcal/kg]
A0=22.4/0.210*(C/12+(H-O/8)/4+S/32)[Nm3/kg]
ここで，C，H，O，Sはそれぞれ表1のC，H，O，Sに相当し、Wは上表の水分に相当する。
固体燃料の完全燃焼は理論空気量のみでは不十分で、多めに供給する必要があり、その倍率を空気比λといい、ここではλ=1.30とする。
【００４０】
作製された乾燥汚泥の含水率が5〜40%の範囲で変動した場合、バイオマスバーナ３において1,393kW（=1,197,980kcal/h）の熱量の生成を保持するためには、バイオマスバーナ３へ供給する乾燥汚泥量および空気量を、表２のように変化さればよい。
【００４１】
【表２】
2020199449.tif 000004
【００４２】
表２に示したように、含水率の変化に応じてバイオマスバーナ３への燃焼用乾燥汚泥の供給量の調整を行い、バイオマスバーナ３への空気供給量の調整方法は、上述したように、水分センサ２９の検知情報をもとに、制御装置３２からロータリーバルブ３５の回転数を制御しブロワ１７の回転数あるいはファン２３出口のダンパ開度を行うようにすればよい。たとえば、燃料用乾燥汚泥の含水率の目標値が１０％の場合において、水分センサ２９による検出値が２０％であった場合には、バイオマスバーナ３に供給する乾燥汚泥量を341kg/hとするようにロータリーバルブ３５を制御し、供給空気量を1,760Nm3/hとするようにファン２３を制御すればよい。
【符号の説明】
【００４３】
１  下水汚泥乾燥システム
３  バイオマスバーナ
５  熱風炉
７  乾燥機
９  振分け装置
１１  燃焼用乾燥汚泥供給装置
１３  燃料用乾燥汚泥貯留装置
１５  熱交換器（下水汚泥乾燥システム）
１７  ブロワ
１９  排ガス供給ライン
２１  集塵機
２３  ファン
２５  第１貯留槽
２７  第１搬送装置
２９  水分センサ
３１  振分け機構
３２  制御装置
３３  ホッパ部
３５  ロータリーバルブ
３７  第２搬送装置
３９  第３搬送装置
４１  第２貯留槽
４３  振分けノズル
４５  第４搬送装置
４７  第５搬送装置
５１  バイオマスボイラ
５３  サイクロン
５５  熱交換器
５７  蒸気タービン
５９  発電機
６１  バグフィルタ
６３  誘引通風機
６５  煙突
６７  排ガスライン
【図１】
2020199449.tif 000005
【図２】
2020199449.tif 000006
【図３】
2020199449.tif 000007
【図４】
2020199449.tif 000008